(57)【要約】【課題】凹凸表示装置において、特定の個所のみが劣化するようなことを防止することができるようにすること。【解決手段】伸縮可能な保護層と、タッチパネル、画面表示パネルと、前記保護層に凹凸釦を形成するための凹凸形成部をもつ表示装置において、前記凹凸釦は複数の形状パターンをもち、凹凸を形成する際に、前記形状パターンを変化させることを特徴とする。【選択図】図１
2019074825.tif 000002
【特許請求の範囲】
【請求項１】
伸縮可能な保護層（２１）と、タッチパネル（２３）、画面表示パネル（２４）と、前記保護層（２１）に凹凸釦を形成するための凹凸形成部（２２）をもつ表示装置（１）において、
前記凹凸釦は複数の形状パターンをもち、凹凸を形成する際に、前記形状パターンを変化させることを特徴とする表示装置。
【請求項２】
凹凸釦の形状パターンとは、大きさ、高さ、または形状そのものの形状変化を示すことを特徴とする請求項１に記載の表示装置。
【請求項３】
凹凸釦の形状変化は、表示装置（１）の電源オンオフのタイミングで行うことを特徴とする請求項１又は請求項２に記載の表示装置。
【請求項４】
凹凸釦が形成され、同じ形状のまま一定回数操作された凹凸釦については、形状を変化させることを特徴とする請求項１乃至請求項３の何れか一項に記載の表示装置。
【請求項５】
凹凸釦が形成された後、一定時間操作がされていない凹凸釦については、一定時間後に釦形状を変化させることを特徴とする請求項１乃至請求項４の何れか一項に記載の表示装置。
【請求項６】
複数の凹凸形状が同時に形成される場合、請求項４〜５に該当しない凹凸も含めた複数個を同時に変化させることを特徴とする請求項１乃至請求項５の何れか一項に記載の表示装置。
【請求項７】
複数の凹凸形状が同時に形成される請求項１乃至請求項３の何れか一項に記載の表示装置（１）において、請求項４又は請求項５により凹凸形状を個別に変化させた場合は、次に凹凸形状を形成する際、同じ凹凸形状に変化させることを特徴とする表示装置。
【発明の詳細な説明】
【技術分野】
【０００１】
本発明は、凹凸表示装置を備えた電子機器と、その制御装置に関する。
【背景技術】
【０００２】
従来、データ入力装置としては、表示装置の表示面上に設けられ、人の指先等でタッチすることにより入力可能なタッチパネルを具え、前記タッチパネルを介して表示面上に表示されるスイッチの操作により電子機器への入力を可能とするタッチパネル付表示装置が知られている。
【０００３】
この種の表示装置では、透明なパネルやスクリーンの表示面上の所定位置に表示される図をパネル上から指先等で触れることにより種々な情報を入力、あるいはメニューの選択等を行わせることができる。
【０００４】
また、このタッチパネルにおいては、操作箇所を、視覚のみに頼らずに確認できる凹凸表示装置が提案されている。特許文献１には、タッチパネルの入力位置である画像にあわせて装置の任意の部分の厚みを変化させることで、タッチパネルへの入力が装置に伝達されたかの確認が容易で信頼性の高い入力操作を行なうことができる構成が開示されている。
【先行技術文献】
【特許文献】
【０００５】
【特許文献１】特開平６−３３２６０１号公報
【発明の概要】
【発明が解決しようとする課題】
【０００６】
しかしながら、上記の特許文献１に開示された従来技術では、一般に、表示面に表示されるスイッチ等の凹凸位置が選択画面によって予め特定の位置が決められてしまっており、特定の位置が繰返し凹凸されることとなる。その結果、凹凸部の特定の個所の屈曲が繰り返され、劣化が激しくなる。
【０００７】
そこで、本発明の目的は、上記した従来の問題点に着目し、凹凸が可能な表示装置において、特定の個所のみが劣化するようなことを防止する事ができる、凹凸表示装置を提供することにある。
【課題を解決するための手段】
【０００８】
上記の目的を達成するために、本発明に係る表示装置は、
伸縮可能な保護層と、タッチパネル、画面表示パネルと、前記保護層に凹凸を形成するための凹凸形成部をもつ表示装置において、
前記凹凸釦は複数の形状パターンをもち、凹凸を形成する際に、前記形状パターンを変化させることを特徴とする。
【発明の効果】
【０００９】
本発明によれば、凹凸が可能な表示装置において、特定の個所のみが劣化するようなことを防止する事ができる、凹凸表示装置を提供することができる。
【図面の簡単な説明】
【００１０】
【図１】本実施形態の構成を示すブロック図である。
【図２】本実施形態の処理を示したフローチャートである。
【図３（ａ）】本実施形態の表示装置を示した図である。
【図３（ｂ）】本実施形態の凹凸形状の断面を示した図である。
【図３（ｃ）】本実施形態の凹凸形状の変化例を示した断面図である。
【発明を実施するための形態】
【００１１】
以下に、本発明の好ましい実施の形態を、添付の図面に基づいて詳細に説明する。
【００１２】
図１は、本実施形態に係る表示装置１の機能ブロック図である。表示装置１には、テレビ、パソコン、タブレット端末、携帯電話、カメラなど、表示装置を備えるあらゆる電子機器が含まれる。
【００１３】
表示装置１は、図１に示すように、入出力パネル２、制御部３、記憶部４を有している。
【００１４】
入出力パネル２は、ユーザが入力を行うインターフェースを備えるとともに、画像および視認可能な凹凸を提示する。入出力パネル２は、保護層２１と、凹凸形成部２２と、タッチパネル２３と、画面表示パネル２４とを備える。
【００１５】
保護層２１は、内部を保護する手段であって、凹凸形成部２２によって形成された凹凸により伸縮可能なものである。
【００１６】
凹凸形成部２２は、入出力パネル２において視認可能な凹凸を形成する。本実施形態においては、画像の内容に応じた凹凸を、入出力パネル２上に該画像位置と重畳するように形成する。凹凸形成部２２の詳細な構造については後述する。
【００１７】
タッチパネル２３は、ユーザがタッチすることで表示装置１の操作を可能にする手段で
ある。
【００１８】
画面表示パネル２４は、制御部３から取得した画像情報を表示する手段である。
【００１９】
次に、制御部３の詳細な構成について説明する。
【００２０】
制御部３は、入出力パネル２の各機能を統括し、表示装置１の駆動を制御する。制御部３は、操作取得部３１と、アプリケーション制御部３２と、表示情報処理部３３と、画像制御部３４と、凹凸制御部３５とを備える。
【００２１】
操作取得部３１は、タッチパネル２３に対するユーザ入力を取得する。具体的には、タッチパネル２３からのユーザ入力情報に基づいて、操作位置を検出し、前記操作がアプリケーションに対するものであれば、アプリケーション制御部３２に対して入力情報を送信する。
【００２２】
アプリケーション制御部３２は、操作取得部３１からの入力情報に応じてアプリケーションの起動および終了を制御する。また、表示情報処理部３３に対し、前記入力情報に応じてアプリケーション上で提示すべき画像情報を通知する。
【００２３】
表示情報処理部３３は、画面表示パネル２４に表示させる画像を示す画像情報と、凹凸形成部２２に出力する凹凸情報を取得および送信する。具体的には、アプリケーション制御部３２からの情報をもとに、画像情報と、該画像情報の中でタッチ操作可能範囲に対応付けられた凹凸情報とのデータを取得し、画像制御部３４と凹凸制御部３５へ送信する。
【００２４】
画像制御部３４は、画面表示パネル２４に画像を表示させる。具体的には、表示情報処理部３３から取得した画像情報を、画像として表示させるための信号に変換して画面表示パネル２４に送信する。
【００２５】
凹凸制御部３５は、凹凸形成部２２に凹凸を形成させる。具体的には、表示情報処理部３３から取得した凹凸情報を、凹凸形成部２２に対し所定の凹凸の形成を指示する信号を送信する。
【００２６】
記憶部４は、制御部３が行う各処理において参照されるデータやプログラムを保持する。記憶部４は、画像／凹凸情報データベース４１を備える。
【００２７】
画像／凹凸情報データベース４１は、画面表示パネル２４に表示される画像情報と、それに重畳して出力される凹凸を示す凹凸情報を保持するデータベースである。表示情報処理部３３から要求された情報をもとに、画像／凹凸情報データを送付する。
【００２８】
ここで、画像／凹凸情報データベース４１における凹凸情報について説明する。
【００２９】
画像に対応する凹凸形状は常に同じではなく、複数の変化形状が用意されており、画像／凹凸情報データベース４１内で前記凹凸形状は変化し、前記画像と対応付けられる。
【００３０】
なお、図示しないが、撮像部や通信部が備えられていてもよく、撮像部を介して画像情
報を取得したり、通信部を介して画像情報や凹凸情報を取得するようにしてもよい。
【００３１】
図２は、表示装置１の行う処理の流れを示すフローチャートである。ここでは、所定のアプリケーションが起動した状態から処理を開始するものとする。
【００３２】
まず、操作取得部３１が、タッチパネル操作を検出したか否かを判定する（Ｓ１０１）。具体的には、タッチパネル２３からのユーザ入力信号を取得したか否かを判定する。タッチパネル操作を検出しなかった場合（Ｓ１０１でＮＯ）、操作取得部３１は、タッチパネル操作を検出するまで待機する。
【００３３】
タッチパネル操作を検出した場合（Ｓ１０１でＹＥＳ）、操作取得部３１は、アプリケーション制御部３２に対し、タッチパネル２３上での操作位置を示す情報を送信し、アプ
リケーション制御部３２は、前記操作位置情報に応じて当該アプリケーション上で次に表示すべき表示情報を、表示情報処理部３３に通知する。また、タッチパネル以外の操作部材がある場合は、それを用いても良い。
【００３４】
次に、表示情報処理部３３が、画像／凹凸情報データを取得する（Ｓ１０２）。具体的には、アプリケーション制御部３２から通知された情報をもとに、画像／凹凸情報データベース４１に対して画像／凹凸データを要求し、取得する。
【００３５】
ここで取得した画像／凹凸データのうち、画像データは画像制御部３４に、凹凸データは凹凸制御部３５に送信される。前記画像／凹凸データは画像制御部３４、凹凸制御部３５が画像／凹凸情報データベース４１から直接取得するようにしてもよい。
【００３６】
表示情報処理部３３が取得した情報のうち、凹凸情報が含まれておらず、画像情報のみの場合（Ｓ１０３でＮＯ）、画像制御部３４は画像情報を画面表示パネル２４へ出力する（Ｓ１０４）。具体的には、ステップＳ１０２で表示情報処理部３３から取得した画像情報に基づき、画面表示パネル２４に画像を表示させる指示を出す。
【００３７】
続いて、画面表示パネル２４は画像制御部３４から取得した画像を表示する（Ｓ１０５）。
【００３８】
表示情報処理部３３が取得した情報のうち、凹凸情報が含まれていた場合（Ｓ１０３でＹＥＳ）、画像制御部３４は画像情報を画面表示パネル２４へ出力し、凹凸制御部３５は凹凸情報を凹凸形成部２２へ出力する（Ｓ１０６）。具体的には、ステップＳ１０２で表示情報処理部３３から取得した画像／凹凸情報に基づき、画面表示パネル２４に画像を、凹凸形成部２２に凹凸を表示させる指示を出す。
【００３９】
続いて、画面表示パネル２４は画像制御部３４から取得した画像を表示し、凹凸形成部２２は凹凸制御部３５から取得した凹凸情報をもとに凹凸を形成し、重畳させて表示する（Ｓ１０７）。
【００４０】
この時、画像／凹凸情報処理データベース４１内において、凹凸形成部２２において形成された凹凸形状は、用意された形状パターンを変化させる（Ｓ１０８）。これにより、次に同じ画像が表示される際に形成される凹凸形状は、異なった形状となる。この処理は凹凸制御部で行っても良い。
【００４１】
本実施形では凹凸情報が出力される毎に形状パターンを変化させたが、これは表示装置１の電源がオン／オフされるタイミングで行っても良い。
【００４２】
また、形状パターンを変化させるタイミングは、入出力パネル２に表示された凹凸形状が同じ形状のまま、一定回数ユーザによる操作入力がされたタイミングでも良い。これにより、長時間凹凸形状を保ったまま使用し続ける釦の劣化を抑制することができる。
【００４３】
また、Ｓ１０６において、凹凸が形成された後、一定時間入力が無い凹凸部は、凹凸形状を変化させても良い。これにより、使われていない凹凸部の劣化を抑制することができる。また、凹凸形状の高さ、範囲により電力が増大する構成の場合、使用頻度の低い凹凸釦の高さ・範囲を縮小させても良い。これにより、電力消費を抑えることができる。
【００４４】
次に図３を参照し、凹凸部の詳細な構造について説明する。
【００４５】
図３（ａ）は、凸釦が発生している表示装置を示し、図３（ｂ）は凹凸部の断面図である。ここで凹凸形成部２２は、電解伸縮する素材で構成された複数のアクチュエータで構成されている。凹凸を形成するために、不図示の駆動回路によりアクチュエータの所定の電極２２ａ〜２２ｄに電気信号を送り、それぞれのアクチュエータを変化させることで、図３においては凸部２１ａを形成している。凸部２１ａの高さは、駆動電圧によって変化させることが可能である。
【００４６】
また、撮影者が凸部２１ａを押下すると、凸部２１ａの押し込みによる電極２２ａ〜２２ｄの逆起電力を駆動回路が検出し、押下されたか否かも検出できる。押下された位置は、タッチ検出部３０３によって検知される。
【００４７】
上述の凹凸形成方法は一例であり、これに限定されない。
【００４８】
次に画像／凹凸情報データベース４１における凹凸形状の形状パターンについて説明する。
【００４９】
保護層２１における凹凸形状の形状変化の起点となる個所を２１ｂ、２１ｃとする。前記２１ｂ、２１ｃは凹凸が形成される都度、屈曲が繰り返される。これにより、２１ｂ、２１ｃの劣化が促進される。そこで、凹凸部の大きさ、高さ、または形状そのものを変化させることにより、２１ｂ、２１ｃを移動させる。これにより、凹凸形成時に屈曲する箇所は移動され、特定の個所が劣化する事を防ぐ事が可能となる。
【００５０】
形状変化の一例として、図３（ｃ）を示す。
【００５１】
図３（ｃ）は、電極２２ｅ、２２ｆにも信号を送り、アクチュエータを変化させる事により、凹凸形状の大きさを変化させ、２１ｂ、２１ｃの位置を、２１ｂは２１ｄ、２１ｃは２１ｅに移動させている。これにより、屈曲が繰り返される個所が移動し、局所的な劣化を抑制することができる。
【００５２】
また、２１ａ、２１ｆ、２１ｇのように複数の同じ形状（大きさ、高さ）の凹凸形状が同時に形成される場合、上述したように２１ａのみを変化させても良いし、複数（２１ａ、２１ｆ、２１ｇ）を同時に変化させて良い。ただし、２１ａのみ凹凸形状を変化させた場合は、次に凹凸形状を形成する際、２１ａ、２１ｆ、２１ｇ全ての凹凸形状を同じ形状にしても良い。これにより、形状が異なる事によりユーザが違和感を覚えることを防ぐことができる。
【００５３】
本実施形態で述べた凹凸シーケンスを行うことにより、保護層が特定の個所のみが劣化することを防止できる。
【００５４】
以上、本発明の好ましい実施形態について説明したが、本発明はこれらの実施形態に限定されず、その要旨の範囲内で種々の変形及び変更が可能である。
【００５５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５６】
１  表示装置、または表示装置を備える電子機器、２  入出力パネル、
２１  保護層、２１ｂ〜２１ｅ  凹凸形成時の保護層の屈曲部、
３  制御部、４  記憶部
【図１】
2019074825.tif 000003
【図２】
2019074825.tif 000004
【図３（ａ）】
2019074825.tif 000005
【図３（ｂ）】
2019074825.tif 000006
【図３（ｃ）】
2019074825.tif 000007